(57)【要約】【課題】シートクッションの座面に設置される補助具のシートクッションへの着脱の作業効率を高める。【解決手段】車両用シート１は、シート本体２と、シート本体２のシートクッション３の座面上に設置される補助具５と、を備え、シートクッション３の外表面には、座面前後方向に延びる少なくとも一つのガイド１２が設けられており、補助具５は、ガイド１２の一方の端部からガイド１２の延在方向にスライドされてガイド１２に嵌合可能なガイド受け１４を有し、ガイド受け１４とガイド１２との嵌合によってシートクッション３に着脱可能に装着される。【選択図】図１
2017007580.tif 000002
【特許請求の範囲】
【請求項１】
シート本体と、
前記シート本体のシートクッションの座面上に設置される補助具と、
を備え、
前記シートクッションの外表面には、座面前後方向又は座面幅方向に延びる少なくとも一つのガイドが設けられており、
前記補助具は、前記ガイドの一方の端部から前記ガイドの延在方向に移動されて前記ガイドに嵌合可能なガイド受けを有し、前記ガイド受けと前記ガイドとの嵌合によって前記シートクッションに着脱可能に装着される車両用シート。
【請求項２】
請求項１記載の車両用シートであって、
前記ガイド及び前記ガイド受けのうち嵌合内側となる一方の嵌合移動方向先側の端部、及び前記ガイド及び前記ガイド受けのうち嵌合外側となる他方の嵌合移動方向後側の端部には、互いに固定可能なロック部がそれぞれ設けられている車両用シート。
【請求項３】
請求項１又は２記載の車両用シートであって、
前記ガイドは、前記シートクッションの左右の側部に一対設けられ、前記座面前後方向に延びている車両用シート。
【請求項４】
請求項３記載の車両用シートであって、
前記ガイドは、前記座面よりも前記座面前後方向に短く、前記座面の後側に偏倚して設けられている車両用シート。
【請求項５】
請求項３記載の車両用シートであって、
前記ガイド受けは、前記座面に接する前記補助具の設置面よりも前記座面前後方向に短く、前記設置面の前側に偏倚して設けられている車両用シート。
【請求項６】
請求項１又は２記載の車両用シートであって、
前記ガイドは、前記シートクッションの前部に設けられ、前記座面幅方向に延びている車両用シート。
【請求項７】
座面前後方向又は座面幅方向に延びる少なくとも一つのガイドが外表面に設けられたシートクッションの座面上に設置される車両用シート補助具であって、
前記ガイドの一方の端部から前記ガイドの延在方向にスライドされて前記ガイドに嵌合可能なガイド受けを有し、前記ガイド受けと前記ガイドとの嵌合によって前記シートクッションに着脱可能に装着される車両用シート補助具。
【請求項８】
少なくともシートクッションの外表面を構成し、シートクッションの座面上に設置される補助具が取り付け可能な着せ替えシートカバーであって、
座面前後方向又は座面幅方向に延びる少なくとも一つのガイドを有し、
前記ガイドは、該ガイドの一方の端部から該ガイドの延在方向にスライドされる前記補助具のガイド受けと嵌合可能であり、
前記ガイドと前記ガイド受けとの嵌合によって、前記補助具を着脱可能に保持する着せ替えシートカバー。
【発明の詳細な説明】
【技術分野】
【０００１】
本発明は、シートクッションの座面上に設置される補助具を備える車両用シート、及び車両用シート補助具、並びに着せ替えシートカバーに関する。
【背景技術】
【０００２】
シートクッションの座面上にジュニアシートなどの補助具が設置される場合があり、この種の補助具は、例えば線ファスナや面ファスナなどでシートクッションに着脱可能に装着される。例えば、特許文献１に記載された車両用シートでは、シートクッションの前部及び後部並びに両側部に亘って座面を周回するように線ファスナが設けられている。
【先行技術文献】
【特許文献】
【０００３】
【特許文献１】特開２００９−１１８９９３号公報
【発明の概要】
【発明が解決しようとする課題】
【０００４】
特許文献１に記載された車両用シートでは、座面を周回するように線ファスナが設けられているが、シートクッションの後部周辺はスペースが限られ、線ファスナの歯を噛み合わせ又は離すスライダーを移動させる操作が困難であり、面ファスナであってもフック面とループ面とを相互に押し付け又は引き剥がす操作が困難であり、補助具を着脱する作業効率の向上が望まれる。
【０００５】
本発明は、上述した事情に鑑みなされたものであり、シートクッションの座面に設置される補助具をシートクッションに対して着脱する作業効率を高めることを目的とする。
【課題を解決するための手段】
【０００６】
本発明の一態様の車両用シートは、シート本体と、前記シート本体のシートクッションの座面上に設置される補助具と、を備え、前記シートクッションの外表面には、座面前後方向又は座面幅方向に延びる少なくとも一つのガイドが設けられており、前記補助具は、前記ガイドの一方の端部から前記ガイドの延在方向に移動されて前記ガイドに嵌合可能なガイド受けを有し、前記ガイド受けと前記ガイドとの嵌合によって前記シートクッションに着脱可能に装着される。
【０００７】
また、本発明の一態様の車両用シート補助具は、座面前後方向又は座面幅方向に延びる少なくとも一つのガイドが外表面に設けられたシートクッションの座面上に設置される車両用シート補助具であって、前記ガイドの一方の端部から前記ガイドの延在方向に移動されて前記ガイドに嵌合可能なガイド受けを有し、前記ガイド受けと前記ガイドとの嵌合によって前記シートクッションに着脱可能に装着される。
【０００８】
また、本発明の一態様のシートカバーは、少なくともシートクッションの外表面を構成し、シートクッションの座面上に設置される補助具が取り付け可能なシートカバーであって、座面前後方向又は座面幅方向に延びる少なくとも一つのガイドを有し、前記ガイドは、該ガイドの一方の端部から該ガイドの延在方向に移動される前記補助具のガイド受けと嵌合可能であり、前記ガイドと前記ガイド受けとの嵌合によって、前記補助具を着脱可能に保持する。
【発明の効果】
【０００９】
本発明によれば、シートクッションの座面に設置される補助具をシートクッションに対して着脱する作業効率を高めることができる。
【図面の簡単な説明】
【００１０】
【図１】本発明の実施形態を説明するための、補助具を備える車両用シートの一例の斜視図である。
【図２】図１の車両用シートの補助具が取り外されたシート本体の斜視図である。
【図３】図２のシート本体のシートクッションの断面図である。
【図４】図１の車両用シートの補助具の斜視図である。
【図５】図２のシート本体に設けられたガイド及び図４の補助具に設けられたガイド受けの斜視図である。
【図６】（Ａ）及び（Ｂ）は図２のシート本体に図４の補助具が装着される際の装着手順を示す模式図である。
【図７】（Ａ）及び（Ｂ）は図２のシート本体の変形例に図４の補助具が装着される際の装着手順を示す模式図である。
【図８】（Ａ）及び（Ｂ）は図２のシート本体に図４の補助具の変形例が装着される際の装着手順を示す模式図である。
【図９】図５のガイド及びガイド受けの変形例の斜視図である。
【図１０】図５のガイド及びガイド受けの他の変形例の斜視図である。
【図１１】本発明の実施形態を説明するための、補助具を備える車両用シートの他の例の斜視図である。
【発明を実施するための形態】
【００１１】
図１は、本発明の実施形態を説明するための補助具を備える車両用シートの一例の構成を示す。
【００１２】
車両用シート１は、座面部分を構成するシートクッション３及び背もたれ部分を構成するシートバック４を有するシート本体２と、シートクッション３の座面上に設置される補助具としてのジュニアシート５とを備える。ジュニアシート５は、シートクッション３に着脱自在に装着されている。
【００１３】
ジュニアシートは、子供用の補助具であって、着座者をシートベルトによって適切に拘束する目的で座面を底上げするためのものである。なお、シートクッションの座面上に設置される補助具はジュニアシートに限られるものではなく、例えば腰ベルトを大腿部に掛けるための妊婦用シートベルト装着補助具などであってもよい。
【００１４】
図２及び図３はシート本体２の構成を示し、図４はジュニアシート５の構成を示す。
【００１５】
シート本体２のシートクッション３は、シートの骨格をなす図示しないフレームに支持されたクッションパッド１０と、シートカバー１１とを含む。シートカバー１１は、皮革や布帛など表皮材からなる複数のピースが袋状に縫製されてなり、フレーム及びクッションパッド１０に被されてシートクッション３の外表面を構成している。そして、シートクッション３の外表面、つまりはシートカバー１１には、ジュニアシート５をシートクッション３に装着するためのガイド１２が設けられている。
【００１６】
ガイド１２は、シートカバー１１の左右の側面部分にそれぞれ設けられ、図示の例では、シートカバー１１の座面部分を形成するピースＰ１と側面部分を形成するピースＰ２との間でこれらのピースＰ１，Ｐ２に共縫いされ、シートカバー１１の側面部分における座面部分との境界に沿って玉縁状に設けられている。そして、ガイド１２は、座面前後方向に延び、図示の例では、シートカバー１１の側面部分の前端から後端に亘って延びており、座面前後方向に座面３ａと略同じ長さに形成されている。
【００１７】
なお、ガイド１２は、シートカバー１１の座面部分に設けられてもよいが、好ましくは、図示の例のように、座り心地に影響しないシートカバー１１の側面部分に設けられる。また、シートカバー１１の側面部分における座面部分との境界に沿って玉縁状にガイド１２を設けるようにすれば、外観におけるガイド１２の際立ちが抑えられ、シート本体２の意匠を保つことができる。
【００１８】
ジュニアシート５は、シートクッション３の座面３ａに接する設置面５ａの左右の縁部にそれぞれ垂下して設けられた一対の裾部１３を含む。ジュニアシート５がシートクッション３の座面上に設置された際には、一対の裾部１３は、ガイド１２が設けられたシートカバー１１の左右の側面部分に重なって配置される。そして、シートカバー１１の側面部分に対向する裾部１３の内側表面には、ガイド１２に嵌合可能なガイド受け１４が設けられている。
【００１９】
ガイド受け１４は、ガイド１２と同じく座面前後方向に延びており、図示の例では、裾部１３の前端から後端に亘って延び、座面前後方向に設置面５ａと略同じ長さに形成されている。
【００２０】
図５はシートクッション３のガイド１２及びジュニアシート５のガイド受け１４の構成を示す。
【００２１】
シートクッション３のガイド１２は、断面略円形状に形成された頭部２０と、頭部２０に対して括れて形成された首部２１とを有し、頭部２０及び首部２１はガイド１２の延在方向に連続している。
【００２２】
ジュニアシート５のガイド受け１４は、ガイド１２の頭部２０を収納し且つ括れた首部２１を挟持可能に断面略Ｃ字形状に形成された嵌合部２２を有し、嵌合部２２はガイド受け１４の延在方向に連続している。
【００２３】
ガイド受け１４の嵌合部２２の一方の端部にガイド１２の頭部２０の一方の端部が挿し込まれ、ガイド受け１４がガイド１２の延在方向に移動されることにより、ガイド１２の頭部２０がガイド受け１４の嵌合部２２の内側に収納され、ガイド１２とガイド受け１４とは互いに嵌合する。
【００２４】
なお、シートクッション３のガイド１２に嵌合部２２を設け、ジュニアシート５のガイド受け１４に頭部２０及び首部２１を設け、ガイド１２が嵌合外側に配置され、ガイド受け１４が嵌合内側に配置されるように構成することもできる。
【００２５】
ガイド１２及びガイド受け１４の材料としては、シートクッション３の外表面に沿って湾曲可能な程度に適度な柔軟性を有し且つ耐久性に優れる樹脂材料が好適に用いられ、ポリウレタン系熱可塑性エラストマなどを例示することができる。
【００２６】
図６はジュニアシート５がシートクッション３に装着される際の装着手順を示す。
【００２７】
まず、図６（Ａ）に示すように、ジュニアシート５の設置面の後端部がシートクッション３の座面の前端部に重なる位置にジュニアシート５が配置され、シートクッション３のガイド１２の前端部がジュニアシート５のガイド受け１４の後端部に挿し込まれる。
【００２８】
そして、図６（Ｂ）に示すように、ジュニアシート５が座面前後方向に後に押されることにより、座面前後方向に延在するジュニアシート５のガイド受け１４が同じく座面前後方向に延在するシートクッション３のガイド１２に沿って移動され、ガイド１２とガイド受け１４とが互いに嵌合する。これにより、ジュニアシート５がシートクッション３に装着される。
【００２９】
また、シートクッション３に装着されたジュニアシート５が座面前後方向に前に引かれることにより、ガイド受け１４がガイド１２から抜去され、ジュニアシート５はシートクッション３から取り外される。
【００３０】
このように、ジュニアシート５は座面前後方向にスライドされてシートクッション３に対して着脱されるので、ジュニアシート５の着脱作業をシートクッション３の前方のスペースにて行うことができる。シートクッション３の前方には着座者の両脚を収容するために比較的広いスペースが確保されているので、ジュニアシート５の着脱作業が容易となる。これにより、ジュニアシート５の着脱の作業効率を高めることができる。
【００３１】
図７はシートクッション３の変形例の構成を示し、図８はジュニアシート５の変形例の構成を示す。
【００３２】
図７に示す例では、シートクッション３のガイド１２が、シートクッション３の座面よりも座面前後方向に短く、座面の後側に偏倚して設けられ、図示の例では、シートカバー１１の側面部分の座面前後方向略中央から後端に亘って延びている。
【００３３】
以上の構成において、ジュニアシート５がシートクッション３に装着される際に、図７（Ａ）に示すように、ジュニアシート５の設置面の後端部がシートクッション３の座面の座面前後方向略中央部に重なる位置にジュニアシート５が配置され、シートクッション３のガイド１２の前端部がジュニアシート５のガイド受け１４の後端部に挿し込まれる。
【００３４】
そして、図７（Ｂ）に示すように、ジュニアシート５が座面前後方向に後に押されることにより、ガイド１２とガイド受け１４とが互いに嵌合され、ジュニアシート５がシートクッション３に装着される。
【００３５】
図８に示す例では、ジュニアシート５のガイド受け１４が、ジュニアシート５の設置面よりも座面前後方向に短く、設置面の前側に偏倚して設けられ、図示の例では、裾部１３の前端から座面前後方向略中央部に亘って延びている。
【００３６】
以上の構成において、ジュニアシート５がシートクッション３に装着される際に、図８（Ａ）に示すように、ジュニアシート５の設置面の座面前後方向略中央部がシートクッション３の座面の前端部に重なる位置にジュニアシート５が配置され、シートクッション３のガイド１２の前端部がジュニアシート５のガイド受け１４の後端部に挿し込まれる。
【００３７】
そして、図８（Ｂ）に示すように、ジュニアシート５が座面前後方向に後に押されることにより、ガイド１２とガイド受け１４とが互いに嵌合され、ジュニアシート５がシートクッション３に装着される。
【００３８】
このように、シートクッション３のガイド１２を、座面よりも座面前後方向に短く、座面の後側に偏倚して設け、或いは、ジュニアシート５のガイド受け１４を、設置面よりも座面前後方向に短く、設置面の前側に偏倚して設けることにより、ジュニアシート５の着脱に要するスペースを縮小でき、室内が比較的狭い車両であってもジュニアシート５の着脱作業を容易とし、作業効率を高めることができる。
【００３９】
図９及び図１０は、シートクッション３のガイド１２及びジュニアシート５のガイド受け１４の変形例の構成を示す。
【００４０】
図９に示す例は、シートクッション３のガイド１２及びジュニアシート５のガイド受け１４に互いに固定可能なロック部を設け、シートクッション３に装着されたジュニアシート５をシートクッション３に対してロックするようにしたものである。
【００４１】
図６から図８に示したとおり、ジュニアシート５が座面前後方向に後に押されることにより、座面前後方向に延在するジュニアシート５のガイド受け１４が同じく座面前後方向に延在するシートクッション３のガイド１２に沿って移動されてガイド１２とガイド受け１４とが互いに嵌合し、ジュニアシート５はシートクッション３に装着される。
【００４２】
ガイド１２及びガイド受け１４のうち嵌合内側となるガイド１２は、ガイド受け１４との嵌合移動方向先側となる前端部にロック部２３を有する。ロック部２３は、図示の例では、頭部２０の端面に形成された凹部として構成されている。
【００４３】
一方、嵌合外側となるガイド受け１４は、ガイド１２との嵌合移動方向後側となる前端部に、ガイド１２のロック部２３と係合するロック部２４を有する。ロック部２４は、図示の例では、凹部であるロック部２３に嵌り込む凸部として構成されており、嵌合部２２の開放された前端部に接合されるキャップ２５に設けられている。
【００４４】
ジュニアシート５が座面前後方向に後に押されてガイド１２とガイド受け１４とが互いに嵌合するのに伴い、ガイド受け１４のロック部（凸部）２４は、ガイド１２のロック部（凹部）２３に嵌り込んで固定される。これにより、ガイド１２から抜去されるガイド受け１４の移動が抑制され、シートクッション３に装着されたジュニアシート５がシートクッション３に対してロックされる。
【００４５】
なお、ガイド１２のロック部２３を凸部として構成し、ガイド受け１４のロック部２４を凹部として構成することもできる。
【００４６】
図１０に示す例もまた、シートクッション３に装着されたジュニアシート５をシートクッション３に対してロックするように構成したものである。
【００４７】
図１０に示す例では、シートクッション３のガイド１２に嵌合部２２が設けられ、ジュニアシート５のガイド受け１４に頭部２０及び首部２１が設けられており、ガイド１２が嵌合外側に配置され、ガイド受け１４が嵌合内側に配置される。この場合に、嵌合内側となるガイド受け１４のロック部２４は、ガイド受け１４のガイド１２との嵌合移動方向先側となる後端部に設けられ、嵌合外側となるガイド１２のロック部２３は、ガイド１２のガイド受け１４との嵌合移動方向後側となる後端部に設けられる。
【００４８】
図１１は、本発明の実施形態を説明するための補助具を備える車両用シートの他の例の構成を示す。
【００４９】
図１１に示す車両用シート１０１では、シートクッション１０３及びシートバック１０４を有するシート本体１０２と、シートクッション１０３の座面１０３ａ上に設置されるジュニアシート１０５とを備え、ジュニアシート１０５は、シートクッション１０３の一方の側部側から座面幅方向に他方の側部側に押されてシートクッション１０３に装着されるように構成されている。
【００５０】
シートクッション１０３の外表面を構成するシートカバー１１１の前面部分には、ジュニアシート１０５をシートクッション１０３に装着するためのガイド１１２が設けられており、ガイド１１２は座面幅方向に延びている。
【００５１】
ジュニアシート１０５は、座面１０３ａに接する設置面１０５ａの前縁部に垂下して設けられた裾部１１３を有し、裾部１１３はガイド１１２が設けられたシートカバー１１１の前面部分に重なって配置される。そして、シートカバー１１１の前面部分に対向する裾部１１３の内側表面には、ガイド１１２に嵌合可能なガイド受け１１４が設けられ、ガイド受け１１４は、ガイド１１２と同じく座面幅方向に延びている。
【００５２】
ガイド１１２は上述したガイド１２と同様に構成され、ガイド受け１１４は上述したガイド受け１４と同様に構成され、図示の例では、シートバック１０４の背もたれ面を正面に見てガイド１１２の右端部がガイド受け１１４の左端部に挿し込まれた状態でジュニアシート１０５が座面幅方向に左に押されることにより、ガイド受け１１４がガイド１１２に沿って移動され、ガイド１１２とガイド受け１１４とが互いに嵌合する。これにより、ジュニアシート１０５がシートクッション１０３に装着される。
【００５３】
また、シートクッション１０３に装着されたジュニアシート１０５が座面幅方向に右に引かれることにより、ガイド受け１１４がガイド１１２から抜去され、ジュニアシート１０５はシートクッション１０３から取り外される。
【００５４】
ジュニアシート１０５は座面幅方向にスライドされることによってシートクッション１０３に対して着脱されるので、ジュニアシート５の着脱作業をシートクッション３の側方のスペースにて行うことができる。例えば自動車においてはドアを開放することによってシートクッション３の側方に比較的広いスペースが生じ、ジュニアシート１０５の着脱作業が容易となる。これにより、ジュニアシート１０５の着脱の作業効率を高めることができる。
【００５５】
なお、図９及び図１０に示したガイド１２及びガイド受け１４の各々のロック部２３，２４をガイド１１２及びガイド受け１１４に適用し、シートクッション１０３に装着されたジュニアシート１０５がシートクッション１０３に対してロックされるように構成することもできる。
【００５６】
また、以上のガイド１２が設けられたシートカバー１１、及びガイド１１２が設けられたシートカバー１１１は、着せ替えシートカバー、即ちシートクッション３又はシートクッション３を含むシート本体２全体に着脱可能に被されるオプション装備のシートカバーとして提供することもできる。これにより、ガイド１２，１１２を有しない既存のシートクッションにもジュニアシート５，１０５を着脱自在に装着することが可能となる。
【符号の説明】
【００５７】
１     車両用シート
２     シート本体
３     シートクッション
３ａ   座面
４     シートバック
５     ジュニアシート（補助具）
５ａ   設置面
１１   シートカバー
１２   ガイド
１４   ガイド受け
２３   ロック部
２４   ロック部
１０１ 車両用シート
１０２ シート本体
１０３ シートクッション
１０４ シートバック
１０５ ジュニアシート（補助具）
１０５ａ      設置面
１１１ シートカバー
１１２ ガイド
１１４ ガイド受け
【図１】
2017007580.tif 000003
【図２】
2017007580.tif 000004
【図３】
2017007580.tif 000005
【図４】
2017007580.tif 000006
【図５】
2017007580.tif 000007
【図６】
2017007580.tif 000008
【図７】
2017007580.tif 000009
【図８】
2017007580.tif 000010
【図９】
2017007580.tif 000011
【図１０】
2017007580.tif 000012
【図１１】
2017007580.tif 000013